(57)【特許請求の範囲】
【請求項１】
岩石を含み又は粘度にバラツキのある土砂と安定材とを混合した土砂混合物に分離防止剤を連続的に混合して、水中に投下する埋め立て材を製造する埋め立て材製造システムであって、
前記土砂と前記安定材とを搬送する第１ベルトコンベアと、
前記第１ベルトコンベアの始端部に土砂を供給する土砂フィーダ装置と、
前記第１ベルトコンベアの上方から該第１ベルトコンベアの途中に所定量の安定材を落下させる安定材供給装置と、
前記第１ベルトコンベアの終端部から落下する土砂及び安定材を受け入れると共にこれらの土砂及び安定材を破砕・混合して土砂混合物を形成する混合装置と、
前記混合装置から排出される土砂破砕・混合物を搬送する第２ベルトコンベアと、
前記第２ベルトコンベアの終端部から落下する土砂破砕・混合物に分離防止剤を溶解した分離防止剤溶解液を噴霧して埋め立て材を形成する噴霧手段と、
前記第１ベルトコンベアの前記土砂が落下される領域よりも終端側に配設されると共に土砂及び安定材の合計重量を計量する計量装置と、
土砂及び安定材の前記合計重量から前記安定材供給装置に設定した安定材の供給量を差し引いて土砂の含水重量を算出し、該含水重量と前記土砂の含水比とに基づき土砂の乾燥重量を算出し、該乾燥重量と前記安定材の供給量との比率が所定値となるように前記土砂フィーダ装置から供給される土砂の量を調節する制御装置と
を具備し、
前記土砂及び前記安定材の重量の計量は、前記計量装置での合計重量のみの計量であり、前記安定材の供給された重量は前記安定材供給装置の設定から算出する
ことを特徴とする埋め立て材製造システム。
【請求項２】
請求項１に記載する埋め立て材製造システムにおいて、
前記土砂フィーダ装置は土砂を供給する地盤に設置され、前記第１ベルトコンベアは始端部が前記土砂フィーダ装置の供給部の下方に位置すると共に搬送方向に向けて上昇するように傾斜して配置され、前記安定材供給装置は、前記第１ベルトコンベアの上方に設置され、前記混合装置は、前記第１ベルトコンベアの終端部の下方に設置され、前記第２ベルトコンベアは、始端部が前記混合装置の下方に位置すると共に搬送方向に向けて上昇するように傾斜して配置されている
ことを特徴とする埋め立て材製造システム。
【請求項３】
請求項１又は２に記載する埋め立て材製造システムにおいて、
前記安定材供給装置は、安定材が貯蔵されるサイロと、前記サイロから供給された安定材を蓄えるホッパと、前記ホッパの安定材を外部へ所定量排出するフィーダとから構成され、
前記フィーダは、前記第１ベルトコンベアの前記計量装置よりも始端側に安定材を落下させる位置に配設された
ことを特徴とする埋め立て材製造システム。
【請求項４】
請求項３に記載する埋め立て材製造システムにおいて、
前記制御装置は、前記ホッパに蓄えられる安定材が一定量を下回ったとき、前記サイロから前記ホッパに安定材を供給させる
ことを特徴とする埋め立て材製造システム。
【請求項５】
請求項１〜請求項４の何れか一項に記載する埋め立て材製造システムにおいて、
土砂の前記乾燥重量に対して予め設定された質量の分離防止剤が水に対して所定濃度となるように分離防止剤を水に溶解させて分離防止剤溶解液を形成する分離防止剤溶解槽と、
前記分離防止剤溶解槽から分離防止剤溶解液を貯留する分離防止剤溶解液貯槽と、
前記分離防止剤溶解液貯槽から前記噴霧手段に分離防止剤溶解液を圧送するポンプと
を具備し、
前記分離防止剤溶解液貯槽に貯留されている分離防止剤溶解液が所定量以下となったとき、前記分離防止剤溶解槽に分離防止剤と水とを供給して所定濃度の分離防止剤溶解液を形成させる
ことを特徴とする埋め立て材製造システム。
【請求項６】
請求項１〜請求項５の何れか一項に記載する埋め立て材製造システムにおいて、
前記制御装置は、前記計量装置から土砂及び安定材の合計重量、前記安定材供給装置から安定材の供給量、及び前記噴霧手段により噴霧された分離防止剤溶解液の量とから構成される情報を取得して記録すると共に該情報に基づいて埋め立て材製造システムの稼働状況を表示するよう構成された
ことを特徴とする埋め立て材製造システム。
【発明の詳細な説明】
【技術分野】
【０００１】
本発明は、土砂混合物に安定材を連続的に混合して水中に投下するための埋め立て材を製造する埋め立て材製造システムに関する。
【背景技術】
【０００２】
従来、陸上の掘削土、水底の浚渫土などに安定材等を混合して埋め立て材を形成し、この埋め立て材を用いて、例えば人工島の造成や護岸の裏埋めなどの埋立工事が行われている。
【０００３】
このような埋め立て材を形成する方法としては、事前混合処理工法がある（例えば、特許文献１参照）。この工法は、埋立に先立って、土砂に安定材（セメント）と分離防止剤を事前に添加・混合して埋め立て材を形成し、その後、埋め立て材を所定の場所に運搬・投入しそのまま固化させて地盤を造成するものである。この工法により形成された地盤は、液状化し難く、且つ土圧が低減されたものとなる。また、埋め立て造成後の地盤改良工事が不要になるので、工期の短縮やコストの削減も可能となる。
【０００４】
埋め立て材の形成は、次のように行われる。例えば、土砂フィーダ装置からベルトコンベアの始端部に土砂を落下させる一方、テーブルフィーダ等を介してベルトコンベアに安定材を落下させる。そして、ベルトコンベアの終端部から落下する土砂及び安定材を混合装置に投入して土砂混合物を形成し、最後に、土砂混合物に分離防止剤を噴霧して埋め立て材を形成する。
【０００５】
このとき、良質な埋め立て材を得るべく、土砂、安定材、及び分離防止剤を所定の比率で混合する必要があるため、土砂、安定剤、及び分離防止剤をそれぞれ計量し、この計量した結果に基づいて、所定の比率となるように土砂フィーダ装置から供給される土砂やテーブルフィーダから供給される安定材の供給量を調節している。
【０００６】
しかしながら、土砂フィーダ装置及びテーブルフィーダから供給される土砂及び安定材をそれぞれ計量することは、土砂及び安定材のそれぞれについて計量機器を導入する必要がある。このため、各計量機器に係る費用が生じるし、各計量機器から得た情報に基づいて土砂フィーダ装置及びテーブルフィーダを制御する機構も複雑になる。
【０００７】
また、土砂は、岩石を含んでいたり、粘度にバラツキがあるため土砂フィーダ装置から供給される土砂を計量しても、誤差は大きい。このため、土砂フィーダ装置から土砂の計量結果に基づいて土砂フィーダ装置の土砂の供給量を制御しようとしても、土砂と安定材との比率を安定させることが難しい。
【特許文献１】特公平６−１７５７１号公報
【発明の開示】
【発明が解決しようとする課題】
【０００８】
本発明は、かかる事情に鑑み、土砂、安定材、及び分離防止剤を所定の比率で混合して埋め立て材を形成するに際し、土砂や安定材を計量する機器や所定比率で混合する制御を簡略化し得る埋め立て材製造システムを提供することを目的とする。
【課題を解決するための手段】
【０００９】
上記目的を達成するための本発明の第１の態様は、岩石を含み又は粘度にバラツキのある土砂と安定材とを混合した土砂混合物に分離防止剤を連続的に混合して、水中に投下する埋め立て材を製造する埋め立て材製造システムであって、前記土砂と前記安定材とを搬送する第１ベルトコンベアと、前記第１ベルトコンベアの始端部に土砂を供給する土砂フィーダ装置と、前記第１ベルトコンベアの上方から該第１ベルトコンベアの途中に所定量の安定材を落下させる安定材供給装置と、前記第１ベルトコンベアの終端部から落下する土砂及び安定材を受け入れると共にこれらの土砂及び安定材を破砕・混合して土砂混合物を形成する混合装置と、前記混合装置から排出される土砂破砕・混合物を搬送する第２ベルトコンベアと、前記第２ベルトコンベアの終端部から落下する土砂破砕・混合物に分離防止剤を溶解した分離防止剤溶解液を噴霧して埋め立て材を形成する噴霧手段と、前記第１ベルトコンベアの前記土砂が落下される領域よりも終端側に配設されると共に土砂及び安定材の合計重量を計量する計量装置と、土砂及び安定材の前記合計重量から前記安定材供給装置に設定した安定材の供給量を差し引いて土砂の含水重量を算出し、該含水重量と前記土砂の含水比とに基づき土砂の乾燥重量を算出し、該乾燥重量と前記安定材の供給量との比率が所定値となるように前記土砂フィーダ装置から供給される土砂の量を調節する制御装置とを具備し、前記土砂及び前記安定材の重量の計量は、前記計量装置での合計重量のみの計量であり、前記安定材の重量は前記安定材供給装置から落下させる所定量に設定することを特徴とする埋め立て材製造システムにある。
【００１０】
かかる第１の態様では、岩石を含み又は粘度にバラツキのある土砂であっても、土砂及び安定材を纏めて計量し、その結果に基づき土砂と安定材とが所定比率となるように土砂の供給量を制御する。これにより、土砂及び安定材を個別に計量する機器を簡略化できる。また、所定比率に混合するための制御も簡略化することができる。
本発明の第２の態様は、第１の態様に記載する埋め立て材製造システムにおいて、前記土砂フィーダ装置は土砂を供給する地盤に設置され、前記第１ベルトコンベアは始端部が前記土砂フィーダ装置の供給部の下方に位置すると共に搬送方向に向けて上昇するように傾斜して配置され、前記安定材供給装置は、前記第１ベルトコンベアの上方に設置され、前記混合装置は、前記第１ベルトコンベアの終端部の下方に設置され、前記第２ベルトコンベアは、始端部が前記混合装置の下方に位置すると共に搬送方向に向けて上昇するように傾斜して配置されていることを特徴とする埋め立て材製造システムにある。
【００１１】
本発明の第３の態様は、第１又は２の態様に記載する埋め立て材製造システムにおいて、前記安定材供給装置は、安定材が貯蔵されるサイロと、前記サイロから供給された安定材を蓄えるホッパと、前記ホッパの安定材を外部へ所定量排出するフィーダとから構成され、前記フィーダは、前記第１ベルトコンベアの前記計量装置よりも始端側に安定材を落下させる位置に配設されたことを特徴とする埋め立て材製造システムにある。
【００１２】
かかる第３の態様では、所定量の安定材を第１ベルトコンベアに供給することができる。
【００１３】
本発明の第４の態様は、第３の態様に記載する埋め立て材製造システムにおいて、前記制御装置は、前記ホッパに蓄えられる安定材が一定量を下回ったとき、前記サイロから前記ホッパに安定材を供給させることを特徴とする埋め立て材製造システムにある。
【００１４】
かかる第４の態様では、所定量の安定材を連続的に第１ベルトコンベアに供給することができる。
【００１５】
本発明の第５の態様は、第１〜第４の何れか一つの態様に記載する埋め立て材製造システムにおいて、土砂の前記乾燥重量に対して予め設定された質量の分離防止剤が水に対して所定濃度となるように分離防止剤を水に溶解させて分離防止剤溶解液を形成する分離防止剤溶解槽と、前記分離防止剤溶解槽から分離防止剤溶解液を貯留する分離防止剤溶解液貯槽と、前記分離防止剤溶解液貯槽から前記噴霧手段に分離防止剤溶解液を圧送するポンプとを具備し、前記分離防止剤溶解液貯槽に貯留されている分離防止剤溶解液が所定量以下となったとき、前記分離防止剤溶解槽に分離防止剤と水とを供給して所定濃度の分離防止剤溶解液を形成させることを特徴とする埋め立て材製造システムにある。
【００１６】
かかる第５の態様では、所定濃度の分離防止剤溶解液を連続的に土砂混合物に噴霧できる。
【００１７】
本発明の第６の態様は、第１〜第５の何れか一つの態様に記載する埋め立て材製造システムにおいて、前記制御装置は、前記計量装置から土砂及び安定材の合計重量、前記安定材供給装置から安定材の供給量、及び前記噴霧手段により噴霧された分離防止剤溶解液の量とから構成される情報を取得して記録すると共に該情報に基づいて埋め立て材製造システムの稼働状況を表示するよう構成されたことを特徴とする埋め立て材製造システムにある。
【００１８】
かかる第６の態様では、作業員等が埋め立て材製造システムの稼働状況を一目して把握することができる。
【発明の効果】
【００１９】
本発明によれば、土砂、安定材、及び分離防止剤を所定の比率で混合して埋め立て材を形成することができると共に、土砂や安定材を計量する機器を簡略化でき、また所定比率で混合するための制御も簡略化することができる。
【発明を実施するための最良の形態】
【００２０】
以下、本発明を実施するための最良の形態について説明する。なお、本実施形態の説明は例示であり、本発明は以下の説明に限定されない。
【００２１】
図１は、本実施形態に係る埋め立て材製造システムの概略構成図である。
【００２２】
図１に示すように、第１ベルトコンベア１０が搬送方向に向けて上昇するように傾斜して配設されている。第１ベルトコンベア１０には、その始端部に、後述する土砂フィーダ装置２０から土砂が供給され、その下流側にセメント供給装置（安定材供給装置）３０から安定材の一例であるセメントが供給される。そして、これらの土砂及びセメントを第１ベルトコンベア１０の終端部から落下させて混合装置４０に供給する。また、第１ベルトコンベア１０には、ロードセル１１が設けられており、ロードセル１１は、第１ベルトコンベア１０により搬送される土砂及びセメントの重量を計測する。
【００２３】
なお、本実施形態では単一のベルトコンベアから構成されているが、このような構成に限定されず、複数のベルトコンベアを直列的に連結して第１のベルトコンベアとしてもよい。また、第１ベルトコンベア１０は、搬送方向に向けて上昇している必要はなく、水平であってもよい。
【００２４】
図２（ａ）は、土砂フィーダ装置の正面図であり、図２（ｂ）は、図２（ａ）のＡ−Ａ線断面図である。
【００２５】
図示するように、土砂フィーダ装置２０は、上部開口２３を介して土砂１００が供給される土砂ホッパ２１と、土砂ホッパ２１内の土砂１００を外部へ搬送するベルトフィーダ２２と備えている。土砂ホッパ２１には、側面に排出口２４が設けられ、土砂ホッパ２１の底部には開口部が設けられている。ベルトフィーダ２２は、当該開口部を介して土砂１００を受け止め、排出口２４を介して外部に土砂１００を搬送するように配設されている。ベルトフィーダ２２の終端部は、第１ベルトコンベア１０の始端部の上方に位置しており、ベルトフィーダ２２により搬送された土砂は、終端部から落下して第１ベルトコンベア１０の始端部に供給される。
【００２６】
ベルトフィーダ２２は、後述する制御装置７０によりその搬送速度が調節される。すなわちベルトフィーダ２２の搬送速度を調節することで、土砂フィーダ装置２０から第１ベルトコンベア１０に供給される土砂の量を調節可能となっている。
【００２７】
図１に戻り、セメント供給装置３０は、粉末状のセメントを貯蔵するセメントサイロ３１と、セメントサイロ３１から供給されたセメントを蓄えるセメントホッパ３２と、セメントホッパ３２からのセメントを第１ベルトコンベア１０上に落下させるテーブルフィーダ３３とから構成されている。
【００２８】
セメントホッパ３２には、常に所定量のセメントが貯蔵されるようにセメントサイロ３１からセメントが供給されている。また、テーブルフィーダ３３には、セメントホッパ３２からセメントが供給される。テーブルフィーダ３３は、単位時間当たりの排出量が一定となるようにセメントを外部へ排出する。この排出量は、制御装置７０により設定されている。
【００２９】
また、テーブルフィーダ３３は、次に説明するように、テーブルフィーダ３３から排出されるセメントが第１ベルトコンベア１０に配設されたロードセル１１よりも始端側になるように配設されている。
【００３０】
図３（ａ）は、第１ベルトコンベアとセメント供給装置との位置関係を示す上面図であり、図３（ｂ）は、図３（ａ）のＡ−Ａ線矢視図である。
【００３１】
図３（ａ）及び図３（ｂ）に示すように、テーブルフィーダ３３には、テーブルフィーダ３３から排出されるセメントの出口となる排出口３４が設けられている。排出口３４は、第１ベルトコンベア１０の上方に位置し、第１ベルトコンベア１０上にセメントを落下させるように配設されている。また、排出口３４は、第１ベルトコンベア１０のロードセル１１よりも始端側に配設されている。これにより、土砂フィーダ装置２０から第１ベルトコンベア１０の始端側に供給された土砂と、テーブルフィーダ３３から供給されたセメントとの合計重量がロードセル１１によって計量されることになる。
【００３２】
なお、本実施形態ではセメントを所定量供給するものとしてテーブルフィーダ３３を用いたが、これに限定されない。例えば、スクリューフィーダ、ロータリーフィーダ等、設定値に基づいて所定量のセメントを供給できるものであればよい。
【００３３】
混合装置４０は、円筒状の筐体４１内で高速回転するチェーン４５により、土砂及びセメントを破砕・混合するものである。詳言すると、筐体４１には上部に、開口部である供給口４２が設けられており、供給口４２を介して第１ベルトコンベア１０の終端部から落下した土砂及びセメントを受け入れるようになっている。また、筐体４１内には回動軸４４が回動自在に設けられている。回動軸４４には、複数本のチェーン４５が取り付けられている。
【００３４】
回動軸４４が回動すると、チェーン４５も回動軸４４を中心に回動する。この状態で、供給口４２から土砂及びセメントが供給されると、土砂及びセメントが筐体４１内を落下する間に、チェーン４５により破砕・混合される。以降、混合装置４０により混合された土砂及びセメントを土砂混合物と称する。土砂混合物は、混合装置４０から混合装置４０の下方に配設された第２ベルトコンベア５０上に排出される。
【００３５】
なお、本実施形態では、混合装置として高速回転するチェーン４５により破砕・混合したが、これに限定されず、土砂及びセメントを混合できるものであればよい。
【００３６】
第２ベルトコンベア５０は、混合装置４０から排出される土砂混合物を所定の場所へ搬送するように配設されている。また、第２ベルトコンベア５０の終端部の下方には、該終端部から落下する土砂混合物に対して分離防止剤溶解液を噴霧する噴射手段の一例であるノズルスプレー６０が２つ配設されている。各ノズルスプレー６０は、落下する土砂混合物を挟みこむように両側から分離防止剤溶解液を噴霧している。これにより土砂混合物と分離防止剤溶解液とが満遍なく混合するようになっている。
【００３７】
ノズルスプレー６０から噴射される分離防止剤溶解液は、土砂混合物に含まれる土砂の乾燥重量に対して所定比率の分離防止剤が溶解されている。これにより、第２ベルトコンベア５０から落下する土砂混合物に分離防止剤溶解液が噴霧されることにより、土砂、セメント、及び分離防止剤が所定の比率で混合された埋め立て材が形成される。
【００３８】
ここで分離防止剤は、水中における土砂とセメントとの分離を防止する水溶性高分子材料であり、例えば、セルロース系、アクリル系等の水溶性高分子が挙げられる。分離防止剤溶解液は、次のように形成される。
【００３９】
図４は、本実施形態に係る埋め立て材製造システムの概略構成図である。
【００４０】
図示するように、海水槽８０は、水汲み上げポンプ８１により汲み上げられた海水１０１を貯留する。また、分離防止剤給粉機８２は、粉末状の分離防止剤を貯蔵している。
【００４１】
分離防止剤溶解槽８３には、海水槽８０から給水ポンプ８４を介して海水１０１が供給され、分離防止剤給粉機８２から分離防止剤が供給される。これにより、海水１０１に分離防止剤が溶解して分離防止剤溶解液が形成される。なお、分離防止剤溶解槽８３には、攪拌機８５が設けられており、攪拌機８５は、攪拌により、海水１０１への分離防止剤の溶解を促進させる。分離防止剤溶解槽８３で形成された分離防止剤溶解液は、分離防止剤溶解液ポンプ８６を介して分離防止剤溶解液貯槽８７に供給される。
【００４２】
分離防止剤溶解液貯槽８７とノズルスプレー６０とは、定量ポンプ８８を介して接続されており、分離防止剤溶解液貯槽８７に貯留された分離防止剤溶解液は、定量ポンプ８８によって所定圧力にまで昇圧されて、ノズルスプレー６０を介して、第２ベルトコンベア５０から落下する土砂混合物に噴射される。なお、定量ポンプ８８とノズルスプレー６０との間には電磁流量計８９が取り付けられており、電磁流量計８９が計測した分離防止剤の流量は、制御装置７０に伝達される。
【００４３】
また、分離防止剤溶解液貯槽８７は、内部に貯留されている分離防止剤溶解液の量が一定となるように、分離防止剤溶解槽８３から分離防止剤溶解液が供給されている。また、分離防止剤溶解槽８３も同様に、内部に貯留されている分離防止剤溶解液の量が一定となるように、海水槽８０から海水１０１が供給され、分離防止剤給粉機８２から分離防止剤が供給されている。
【００４４】
なお、本実施形態では、分離防止剤溶解液の溶媒として海水を用いたが、水を用いてもよい。
【００４５】
制御装置７０は、ロードセル１１から土砂及びセメントの合計重量を取得し、土砂フィーダ装置２０のベルトフィーダ２２の搬送速度を調節するよう構成されている。制御装置７０は、例えば、シーケンサやインバータ、情報処理機器から構成されている。例えば、シーケンサは、ロードセル１１から合計重量を取得し、この合計重量に基づいて所定の計算を行い、この計算結果に基づいて、インバータを介してベルトフィーダ２２の搬送速度を調節する。
【００４６】
詳言すると、制御装置７０は、まず合計重量からセメント供給装置３０に設定したセメントの供給量を差し引く。この差し引いた結果を含水重量と称する。そして、別途測定した土砂の含水比を制御装置７０に予め入力しておき、この含水比と含水重量から、土砂の乾燥重量を算出する。次に、乾燥重量とセメントの供給量との比率が所定値となるように、ベルトフィーダ２２の搬送速度を調節して、土砂フィーダ装置２０から第１ベルトコンベア１０に供給される土砂の量を調節する。
【００４７】
他にも、制御装置７０は、セメントホッパ３２に常に所定量のセメントが供給されるように制御している。具体的には次の通りである。図１に示すように、セメントホッパ３２の上部には上側レベルメータ３２Ｈが設けられ、下部には下側レベルメータ３２Ｌが設けられている。上側レベルメータ３２Ｈ及び下側レベルメータ３２Ｌは、共に、セメントホッパ３２内部に蓄えられたセメントの高さを計測するものである。これらの上側レベルメータ３２Ｈ、及び下側レベルメータ３２Ｌにより計測された高さは制御装置７０に伝達される。制御装置７０は、セメントホッパ３２内のセメントの高さが、下側レベルメータ３２Ｌの高さを下回ったときに、セメントサイロ３１からセメントホッパ３２にセメントを供給させ、セメントホッパ３２内のセメントの高さが、上側レベルメータ３２Ｈの高さに達したとき、供給を停止させる。なお、同様に、セメントサイロ３１の上部には上側レベルメータ３１Ｈが設けられ、下部には下側レベルメータ３１Ｌが設けられている。上側レベルメータ３１Ｈ及び下側レベルメータ３１Ｌは、共に、セメントサイロ３１内部に蓄えられたセメントの高さを計測するものである。これらの上側レベルメータ３１Ｈ、及び下側レベルメータ３１Ｌにより計測された高さは制御装置７０に伝達され、例えば、セメントサイロ３１内のセメントが所定量を下回ったら、その旨を作業員等に知らせるようになっている。
【００４８】
また、制御装置７０は、土砂フィーダ装置２０、セメント供給装置３０等の各種機器から各種情報を得て、情報処理機器によりこれらの情報を記録している。各種機器から得る情報としては、例えば、ロードセル１１で計量された土砂及びセメントの合計重量、セメント供給装置３０から供給されているセメントの量、セメントサイロ３１・セメントホッパ３２に貯留されているセメントの残量、分離防止剤溶解液貯槽８７に貯留されている分離防止剤溶解液の残量、混合装置４０の状態、電磁流量計８９で計測された分離防止剤溶解液の流量などである。これらの各種情報は、時系列にプロットされてグラフ表示されたり、所定期間内に形成された埋め立て材の合計量など統計処理されて表示・出力される。他にも、情報処理機器には、各種情報を、埋め立て材製造システムに係る各種機器を模した画像と共に表示させることで、埋め立て材製造システムの全体構成と各種機器の稼働状況とを監視できる機能も備わっている。要するに、情報処理機器は、作業員等が埋め立て材製造システムの稼働状況を把握できるように、各種情報を処理・表示している。
【００４９】
以上に説明した埋め立て材の製造システムによれば、第１ベルトコンベア１０には、土砂フィーダ装置２０から土砂が供給され、セメント供給装置３０からセメントが供給され、これらの土砂及びセメントを混合装置４０に搬送する。そして混合装置４０では土砂及びセメントから土砂混合物を形成される。土砂混合物は、第２ベルトコンベア５０から落下する際に、ノズルスプレー６０から分離防止剤溶解液が噴射され、これにより土砂混合物と分離防止剤溶解液が混合して埋め立て材が形成される。
【００５０】
このように形成された埋め立て材は、埋め立て材を用いた人工島等の造成に適用して有用なものである。なぜならば、土砂混合物に分離防止剤が添加されているので、水中に投下されても、土砂からセメントが分離することはなく、また、分離防止剤の添加により土砂に粘着力が付加されるので、埋め立て材を用いた人工島等で液状化が発生することを防止でき、地滑りや土圧に対しても安定しているからである。
【００５１】
上述したように、土砂、セメント、及び分離防止剤をそれぞれ所定の比率となるように混合して埋め立て材を形成するに際し、土砂、セメントのそれぞれの供給量を測定するのではなく、ロードセル１１で土砂及びセメントの合計重量を計測した。
【００５２】
これは、特にセメント（安定材）は粒形状にバラツキが少ないので、一度、制御装置７０がセメント供給装置３０に所定量のセメントを供給するよう設定すれば、その設定どおりに所定量のセメントが排出されるからである。したがって、制御装置７０は、土砂及びセメントの合計重量をロードセル１１を介して取得すれば、この合計重量からセメント供給装置３０に設定した供給量を差し引いて含水重量を算出でき、更にこの含水重量と土砂の含水比とから第１ベルトコンベア１０に搬送されている土砂の量が算出できる。
【００５３】
これにより、セメント供給装置３０から供給されているセメントの量と、土砂フィーダ装置２０から供給される土砂の量とを個別に計量する必要がないので、計量に係る機器が不要となり、コストの削減や埋め立て材製造システムの構成を簡略化できる。
【００５４】
また、特に、土砂フィーダ装置２０にロードセルを設けて土砂の供給量を計測するのは変動が大きく、この計測値に基づいて供給量を一定にすべく制御するのは困難であるが、本発明では、第１ベルトコンベア１０で土砂及びセメントを纏めて計量するので、このような土砂の供給量の変動に影響されるような問題も起こりえない。
【００５５】
更に、制御装置７０は、一度セメント供給装置３０から供給されるセメントの量を設定してしまえば、後は、土砂フィーダ装置２０の土砂の供給量を調節するだけでよいので、土砂及びセメントを所定比率にする制御を簡略化することができる。
【００５６】
また、テーブルフィーダ３３は、ロードセル１１に土砂及びセメントを計量させるために、第１ベルトコンベア１０のロードセル１１よりも始端側に配設されている。一方、第１ベルトコンベア１０の始端側は低く、終端側は高くなっているので、テーブルフィーダ３３は比較的低い場所に配設されることになる。すなわちテーブルフィーダ３３を高所に配設する必要がなくなるので、テーブルフィーダ３３を支持する部材に係るコストを削減できる。
【図面の簡単な説明】
【００５７】
【図１】実施形態に係る埋め立て材製造システムの概略構成図である。
【図２】土砂フィーダ装置の正面図及び断面図である。
【図３】第１ベルトコンベアとセメント供給装置との位置関係を示す上面図及び矢視図である。
【図４】実施形態に係る埋め立て材製造システムの概略構成図である。
【符号の説明】
【００５８】
１０          ベルトコンベア
１１          ロードセル
２０          土砂フィーダ装置
２１          土砂ホッパ
２２          ベルトフィーダ
２３          上部開口
２４          排出口
３０          セメント供給装置
３１          セメントサイロ
３１Ｌ        下側レベルメータ
３１Ｈ        上側レベルメータ
３２          セメントホッパ
３２Ｌ        下側レベルメータ
３２Ｈ        上側レベルメータ
３３          テーブルフィーダ
３４          排出口
４０          混合装置
４１          筐体
４２          供給口
４４          回動軸
４５          チェーン
５０          ベルトコンベア
６０          ノズルスプレー
７０          制御装置
８０          海水槽
８１          水汲み上げポンプ
８２          分離防止剤給粉機
８３          分離防止剤溶解槽
８４          給水ポンプ
８５          攪拌機
８６          分離防止剤溶解液ポンプ
８７          分離防止剤溶解液貯槽
８８          定量ポンプ
８９          電磁流量計
１００        土砂
１０１        海水
【図１】
0005276858.tif 000002
【図２】
0005276858.tif 000003
【図３】
0005276858.tif 000004
【図４】
0005276858.tif 000005